(57)【要約】【課題】  従来の紙幣等のずらした端辺にほぼ平行に光を照射して枚数を計測する光照射手段とは異なり、折り束ねられた紙葉類を専用に確実に識別して折り紙を計測出来る計数機能を供する。【解決手段】  折り紙葉類５を５−５ａの最初位置に設着された折り紙葉類と、５−５ｂの最後の位置に設着された折り紙葉類との間を、左端を基板６に圧着セットし、折り紙５を回転中心点１２を中心として手にて反時計方向に回動させ、折り紙５に基板６の押圧機能１６を左片面に加えることにより折り紙葉類が開かれ、５−３、５−４、５−５等の先端湾曲分離形態を形成せしめ、確実に識別して折り紙数を計測することが出来る基本的作用を構成形態にて形成させる。【選択図】  図４
2005128985.tif 000002
【特許請求の範囲】
【請求項１】
回動する円盤状の中心点を回動基準とし、その中心を基準に設定した折り紙回動板に折り紙を束ね、折り紙を円盤上面に押さえ板にて挟みセットし、セットの折り紙全枚の左端部を基板を基準に揃えて傾斜設置し、かかる装置に挟み装着保持された複数枚の折り紙葉類を、反時計方向に一定方向に回動させ、各紙葉類の端面を円盤を回動させながら平行状態に設置した端面が拡大的にずれを生ずるように紙葉類先端をずらす折り紙葉類ずらし基板を設定し、回動させながらその端面をめくり爪にて選別分割し、その端面を直角以上に折り曲げ、めくり爪によって選別分割された個々の折り紙葉類端辺に、光を照射する光照射手段と、めくり爪によって生じた折り曲げ部分の影を撮影する撮影手段と、検出された紙影の巾から折り紙葉類が１枚であることを確定し算出し、投入された折り紙葉類の全体の枚数を算出する検出手段と、算出された枚数を表示する表示手段を備えたことを特徴とする折り紙葉類計数装置。
【請求項２】
回動する円盤状の中心点を実施例１中心点より２５ｍｍ上方位置、並びに２５ｍｍ右側位置へ移動し、折り紙回動セット基準板を円盤状の中心点より１０〜２５ｍｍ下の位置に設置して折り紙セット設定位置を構築し、これに押さえ板にて上から折り紙をセットし、折り紙のセット厚みの半分の位置に中心点を回動基準に構築した折り紙全枚の左端部に、基板を傾斜させずに真っ直ぐ直角に設定し、基板作用により設定された折り紙が回動作用により、前半回転を折り紙プラス湾曲作用を、作用変換点を通過後は折り紙マイナス湾曲に作用させる折り紙先端をずらす基板を設定し、折り紙を回動させながらその端面をめくり爪にて該紙葉類を１枚ずつ分割選別させる変動手段を備えたことを特徴とする請求項１記載の折り紙葉類計数装置。
【請求項３】
光を上から下に照射する光照射手段、それを逆方向にして、投光機能を下位置に設置し、受光機能を上位置に設置して光を下から上に照射する光照射手段とし、投光方向を選択出来ることを特徴とする請求項１、請求項２記載の折り紙葉類計数装置。
【発明の詳細な説明】
【技術分野】
【０００１】  本発明は、折り紙葉類計数に際し、折り書や封筒、冊子等の折り紙葉類を曲げて束ね、これを回動させ、１枚ずつめくりながらその数を確実に識別して計数する折り紙葉類計数装置に関する。
【背景技術】
【０００２】  従来、書類とか、新聞とか、封筒とか厚い折り紙葉類等を計数する装置としては、一般に種々の形式のものが知られている。
その中でも紙葉類端部をほぼ直角以上に折り曲げることによりずれを発生させ、これに平行に光を一枚一枚に紙端面に照射して計数している方式はすでに特許３０５１１４６号にて出願されている（例えば、特許文献１参照。）。【０００３】  しかし、同じ方式で物品が検出される位置で折り曲げて重ねにした薬等の能書とか、服用の仕方の案内とか、折り重ねした説明書の厚みを基準として正確に計数される確実な計数検出装置まだ見当たらない。【０００４】  以下、特許第３０５１１４６号の特許明細書により従来の紙葉類計数装置について下記に説明する。
第７図、第８図、第９図において第７図は計数手段を示す説明図であって、積層された紙幣Ｓ−１が途中で強制的に折り曲げられることにより先端部にずれが生じ、各紙幣間に段差が生じ、ＬＥＤＳ−２から発せられた光が段差部に照射され、紙幣の段差により生じた影と段差に影響されないで照射される部分とによる明暗がレンズＳ−３によりイメージセンサーＳ−４上に集束されるシステムとなっている。【０００５】  また、図８、図９において、紙幣挿入口から紙幣が挿入されたときには図８のような状態になっており、押え板２１７のロックが外されるとバネにより紙幣束Ｓ−１が挟着固定され、これに連動して押圧部材２１０が回動され、その上面に張設された可撓性部材２１６が紙幣を押して本体の空洞部の形状に一致するようにする。この形成状態は第９図に示されている。
この状態では束となった紙幣の先端部は１枚ずつ適当なずれを生じさせている。
先願はこのずれを第７図に示される計数原理により選出される構造のものであった。【０００６】
【技術文献１】
特許第３０５１１４６号公報  （第２頁、第６頁、第１図、第１２図、第１３図）
【発明の開示】
【発明が解決しようとする課題】
【０００７】  以上述べた従来の計数装置については、殆ど各紙類の端辺が平衡状態でずれを生ずるように紙類をずらし、その紙の端辺にほぼ平行に光を照射する光照射手段と、生じたずれ部分の影を撮像する撮象手段形式により構成されたものである。（技術文献１参照）。【０００８】  本発明は、このような従来の構成が示している形態、即ち、薄い一枚形態の、例えば紙幣等の計数原理（技術文献１参照）とは異なり、本発明は折り紙計数に際し、折り紙や封筒、冊子等の折り紙葉類のように折り束ねた書類をバラツカセ機能を用いて計数機能性を向上させ、冊数算出手段によって算出された枚数を表示する表示手段とを備えた、今までに無い折り紙専用の葉類計数装置を企業に与えることを目的とするものである。
【課題を解決するための手段】
【０００９】  本発明は上記目的を達成する為に
（１）折り紙葉類は図６に示すように、折り紙５は折り曲げ外面の５ａを底面に、折り紙上が開く５ｂ、５ｃを上面形態にして装着させる。
（２）折り紙葉類は３面〜６面折り構成とする。
（３）折り紙葉類旋回動作スピードは３〜５秒でゆっくりと回転中心軸１２等を中心に、反時計方向に回動させる。
（４）折り紙葉類は図４に示すように、５−５ａの回動する最初位置に設着された折り紙葉類と５−５ｂの最後の位置に設着された折り紙葉類との間には折り紙５の左端を傾斜して設定された基板６の側面に圧着セットし、折り紙端面を回転中心点１２−１を中心として手にて反時計方向に回動させ、折り紙端面に基板６の押圧作用１６を折り紙５左片面に強力に加えることにより折り紙葉類先端がＵ湾曲して互いに開かれ、図３に示す５−３、５−４、５−５等の先端湾曲の分離形態を得ることができる実施例１と。
（５）折り紙葉類は図５に示すように、折り紙５の左端に直角設定された基板１７の側面に圧着セットし、折り紙左端面を回転中心点１２−２を中心として反時計方向に回動させて、折り紙左端面に基板１７の押圧作用１８を作用変換点２３より上面１９に加えることにより折り紙葉類はプラス湾曲して互いに開かれ、
一方、押圧作用１８は作用変換点２３通過により下面２０では減圧され、
下面にては基板１７からの離れ動作が加速され、折り紙葉類がめくり爪２１ａにて湾曲され開かれるため、図５に示す先端湾曲の分離形態イを獲得することができる実施例２がある。
等それぞれの基本的作用形態にて構成させる。
【発明の効果】
【００１０】  本発明の効果としてハガキ形態には不適で、折り紙形式に折り曲げ構成されたもので無いとより効果が発揮されない。特に薬屋が販売している薬に添付している効能書（能書とも云う）とか、巾の細い小物添付書等の説明書専用に最も効果を発揮している。
折り畳んで構成された宣伝用広告資料に効果的である。
【発明を実施するための最良の形態】
【００１１】  発明を実施するための本発明の形態として、下記の材料にて構成させる。
（１）基台１を持ち運びが簡単に出来るように薄い鉄板またはアルミ板等にて構成。
（２）回転する折り紙セット装置２、折り紙回動板３、折り紙押さえ板４、基板６等は超高分子ポリエチレン等により構成。【００１２】  投光機能７は５０ｍＡ以下の消費電力で０．１ｍｓ以下の応答時間（動作復帰時間）の赤色発光ダイオードを使用し、発射される光７は直射的に受光できる受光機能８にて構成され、検索は投光で見ており、反射光ではない。【００１３】  折り紙セット装置２の回転中心形式には実施例１及び実施例２の方式があり、実施例１では回転中心点１２−１が折り紙セットの底位置と一致しており、実施例１の折り紙セット装置２は中心点１２−１を中心として回転させる。
実施例２の折り紙セット装置２では実施例１より回転中心点を斜め上方地点に移動した１２−２を中心として回転させる。この場合、折り紙回動板３が実施例１の中心点より下方位置に設けられ、両者ともこの対岸に押え板４が折り紙５をスプリング１３にて圧力をかけ確り保持する機構となっている。
【実施例】
【００１４】  本発明では、図１、図２、図３、図４、図５、図６の図面において、図１は本発明の外観図を示し、基台１の上面中央部付近に中心点を１２−１又は１２−２にて設定し、折り紙セット装置２をかかる中心点にて回転出来るように構築する。
セット装置２には折り紙回動板３と、折り紙５を挟み込み確り圧着させる折り紙押さえ板４と、折り紙５の左り端部を常に設定基準として圧着し、基板６又は１７に密着した状態にして装着させる。【００１５】  基板６又は１７の端面に隣接して投光機能７及び受光機能８を設置し、投光が上から下に斜めに照射するように装着する。また投光を下から上に斜めに照射するように装着しても良い。
基板６又は１７の側端部にはめくり爪９又は２１ａを設置し、折り紙セット装置が反時計廻りに回動し、回動板３が図３に示すごとく先端が開き配分された折り紙５−１、５−２、５−３、５−４、５−５の作動状態に回動させ、めくり爪９にて一枚一枚ごとに投光線を遮り、枚数をキャッチして数値メータ１０に枚数を表示させる形式と、回転中心点を斜め上方地点に移動した１２−２を中心として回転させる形式を選別し構築する。【００１６】  折り紙５を板３と押え板４の間に挟み込まれる厚さは６０ｍｍを最大とし、折り紙の折り回数により折り紙のセット厚さが異なり、一般には１００枚程度の折り紙がセットされる。
数値メータ１０に表示される枚数採算確率は、同じ厚さの、同じ条件の折り紙構成であれば１００％の確率が取得できる。
これは図４の計数原理により図３の折り紙の回動形態にて維持させることにより、また図５の計数原理により折り紙を回動させることにより一層今までに無い正確な折り紙類のデジタル計数を取得できる。【００１７】  投光機能７から受光機能８に直投射する投光受光作用には、図６に示すごとく受光される折り紙５が下面部を５ａのように外廻りを覆って投射光が過透過しないように、上面部を５ｂ、５ｃのようにＷ形態型に設定することが本発明の基本条件となる。【００１８】  また、投光を下から上に投光した場合には折り紙５の下面部をより効果的に獲得でき、投射角度３０°〜４０°の選択と共に、投射方向及び回動する折り紙の厚い部分が投光を確実にキャッチできる方法の選択もできる。【００１９】  本発明の実施例１について更に添付図面を参照して説明する。【００２０】  本発明の実施例１では折り紙回動板３の折り紙セット板側面地点に回転中心点１２−１を設定することを原則とし、折り紙回動板３は回転中心点１２−１を中心に左回転し、この回転中心点の線とめくり爪９位置と間隔を０〜５ｍｍ程度の間隔を維持させて、めくり動作を効果的に行なわせしめている。【００２１】  図４において中心点１２−１と基板６との間には折り紙５の作用原理があり、その原理は実施例１では
（１）基板６の傾斜設定角度は折り紙５の回動板３と押え板４が挟む設定厚さにより異なるが、一般に図４では折り紙配分原理に基づき５−５ａ位置と５−５ｂ位置が中心点１２−１と５−５ａ点の間をＡ寸法にて設定し、中心点１２−１と５−５ｂとの間を半径Ａにて設定した場合、基板６の設定傾斜角度は９°にて傾斜するため、Ａ寸法により押圧機能１６が形成され全回転に押圧作用を構成させることとなる。
（２）従って、セット装置２の最初の初動位置では、即ち５−５ｂと中心線上１２ｂとの間はＡ寸法よりも少ないＢ寸法の長さにて形成される。
（３）次に、セット装置２が反時計廻りに回動し、最上位置５−５ｂに設置された折り紙が左回転して５−５ｂ位置が５−５ａ位置に回動した場合、１２ｂ位置と５−５ａ位置が結ばれた線にて形成され、折り紙ＢがＢ＋Ｄ図形線にて形成される。【００２２】  一般に基板６の設置角度は、折り紙５の装着枚数によって設置角度を装着厚さにより変更設定することも可能である。実施例１では図４の設置条件では９°として調整設置したが、一般には調整式でなく、３°〜５°にて固定式に設置することが望ましい。【００２３】本発明の実施例２について添付図面を参照して説明する。【００２４】  本発明の実施例２では折り紙セットの回転中心点１２−２を実施例１の中心点１２−１より１０〜２５ｍｍ程度上方位置に移動し、更に実施例１の中心点より右側に移動した位置、即ち、心位置を１２−２位置に設定し折り紙回動板３位置を実施例１よりも１０〜２５ｍｍ程度下位置形態に設定し、図５に示すようにこの回転中心点１２−２を中心基準とする。【００２５】  図５において中心点１２−２の中心線２２と傾斜設定角度を直角度９０度に設定された基板１７との交差点２３までの間には、実施例１と同じ折り紙プラス湾曲作用が施され、この作用変換点２３を超えると折り紙はマイナス湾曲作用となり、折り紙のプラス湾曲がマイナス湾曲作用に差し引かれ、重なりをめくる動作が展開される。【００２６】実施例２の最大のポイントは回動する折り紙押さえ板４の回転作動が回動するに従って作用が早くなることである。回転中心点が１２−１中心でなく１２−２の偏芯点で有ることで、図５にその偏芯回転動作図を図示する。【００２７】  更に実施例を要約すると
（１）基板１７を傾斜させず真っ直ぐ直角に設置する。
（２）基台１の回転中心点１２−２を実施例１よりも右方向上位斜め位置に中心点位置に設置する。
（３）折り紙５をセットする厚みの約半分位置に中心点を上げる。
（４）めくり爪２１ａにて曲げられた折り紙イが、中心線２２と４５°角度にて投光機能７にて投光した光を、受光機能８が１枚確実に投受作用動作が出来る位置を選定して設置させる。
（５）めくり爪２１ａ、２１ｂを図５に示すように、回転中心点１２−２と基板１７とを直角にて結び、この２２線と平行にめくり爪２１ａの設置角度を一致させ、基板１７の下端に回動板３とあわせめくり爪２１ａを構成させることにより、確実な枚数選定機能とすることが可能となる。【００２８】  図５において、本発明は基台１の上面中央部に実施例１の中心点１２−１より上げて右行させ中心点１２−２を設定し、折り紙セット装置２を回動させることにより、プラスマイナスの中心回転作動が設定出来るように構築する。【００２９】  実施例１と実施例２との大きな相違点は、【００２５】に作用の相違点を述べておるが実施例２の大きな相違点は下記のとおりである。
（１）  基板６の設置角度は、実施例１では折り紙５の装着枚数によって設置角度を３°〜５°範囲にて装着厚さにより変更設定するが、実施例２では基板１７は折り紙５の装着枚数に関係なく、設置角度０°にて直角に位置設定される。この設置構造により、直角に位置設定された基板１７の末端部に直角に設置されためくり爪２１ａにより、薄い紙の折り紙をセットした場合でも選択分別時に計数ミスが発生しない。
（２）  （１）の設置基準により構築されためくり爪２１ａと４５度の角度にて構築した投光機能７受光機能８の投光角度は図６に示すように３０°〜４０°の範囲角度にて設定され、受光位置８は図５に示すように基板１７の下端面とほぼ同じ線上に設置される。
（３）  図６に示すように、かかる投光システムにより投光される光を確実に遮らせるため、本発明では通過する折り紙５の下端面を５ａ形態に、上端面を５ｂ、５ｃ形態にして折り紙セット装置に設置させなければならない。
（４）  ４５°の角度にて設定されたＬ型投光スタンドにはめくり爪２１ｂが設置され、めくり爪２１ａによりイの形にてめくられた折り紙５を、投光機能７の光が１枚１枚確実にイの形態にて読み取られるように、即ち、めくり爪２１ａから放れた折り紙５先端が真直ぐに伸びても確実に枚数測定が出来るように先端を曲げて受け止められるめくり爪２１ｂを投光器スタンド側面に設置してある。
（５）  図５に示すように、イの形に測定位置に湾曲した折り紙の次に計測される折り紙ロは、めくり爪２１ａにて保持され、ロの形にて形成され、受光をされない機能を確実に有している。
（６）  折り紙押さえ板４はハの位置からニの位置まで中心点１２−２を中心に折り紙５を保持させながら約９０°回動させる。但し、中心点を実施例１よりも変心させたため、押さえ板４の先端は図５に示すように、ハの先端部はニの位置まで到達するまでの間、加速作動が加わり実施例１では得られない回動効果を取得することが出来る。
（７）  実施例１では折り紙のセット形態角度は図４に示されるＥ角度にて折り紙が湾曲し圧縮される形態となるが、実施例２の形態では実施例１の中心点１２−１より回転中心点１２−２が右に２５ｍｍ、上に２５ｍｍ移転設定されることにより実施例１にて実施されるＥ角度の圧縮作用動作は約１／２程度となり、中心線２２を超えると約１／２程度の減圧作用動作となり、作用変換点２３をもったＳ型の実施例１と異なる湾曲形態となる。
（８）  もし、折り紙５を基板１７に強く圧力をかけ、図３に示す実施例１の５−４、５−５形態のように、折り紙全体５の先端をＵ字形に曲げセットした場合、実施例１と同じように全体が湾曲押圧作用とすることも出来る。【００３０】  実施例２では、本めくり作用は実施例１では取得出来ない少ない角度で回動する湾曲動作にて、しかも折り紙５のめくり選別動作が必要以上の重なりが絶対ないように、投光機能７から受光機能８に投光される光線が確実に方向を合致出来るように受光機能を維持している。
【産業上の利用可能性】
【００３１】  本発明の産業上の利用可能性は、最大のメリットは誰でも簡単にローコストにて折り紙計数機能装置を構築でき、全国産地に与える大きな効果がある。
【図面の簡単な説明】
【００３２】
【図１】本発明の実施形態を示す外観図
【図２】本発明の最初の折り紙のセット形態を示す平面図
【図３】本発明の折り紙の回動形態を示す平面図
【図４】本発明の折り紙の計数原理説明図
【図５】本発明の他の計数原理説明図
【図６】本発明の投光機能・受光機能を有する計数装置説明図
【図７】 
【図８】 
【図９】従来の計数方法を示す説明図
【符号の説明】
【００３３】１：基台
２：折り紙セット装置
３：折り紙回動板
４：折り紙押さえ板
５：折り紙
５ａ：折り紙端
５−１、５−２、５−３、５−４、５−５、５−５ａ、５−５ｂ折り紙形態
６：基板
７：投光機能
８：受光機能
９：めくり爪
１０：数値メータ
１１：コード
１２−１、１２−２ｂ：回転中心点
１２ａ：中心線
１３：スプリング
１４：セットホルダー
１５：ストッパー
１６：押圧作用
１７：基板
１８：押圧作用
１９：上面
２０：下面
２１ａ、２１ｂ：めくり爪
２２：中心線
２３：作用変換点
２４：減圧作用
２５：湾曲押圧作用
Ｓ−１：紙葉類
Ｓ−２：発光手段
Ｓ−３：レンズ
Ｓ−４：イメージセンサ
２１０：押圧部材
２１６：可撓性部材
２１７：押え板
【図１】
2005128985.tif 000003
【図２】
2005128985.tif 000004
【図３】
2005128985.tif 000005
【図４】
2005128985.tif 000006
【図５】
2005128985.tif 000007
【図６】
2005128985.tif 000008
【図７】
2005128985.tif 000009
【図８】
2005128985.tif 000010
【図９】
2005128985.tif 000011